Podtech/llm-jp-corpus-v4-ja_patent huggingface dataset:
【手続補正書】
【提出日】平成24年9月7日(2012.9.7)
【手続補正１】
【補正対象書類名】特許請求の範囲
【補正対象項目名】全文
【補正方法】変更
【補正の内容】
【特許請求の範囲】
【請求項１】
接着面を持つ取り付けパッド及び挿入ニードルを含む挿入器を含む医療デバイスと、
前記医療デバイスに対して殺菌保護を提供する、一部が剛性材料（１、２、７、８、５）で形成されており、一部が軟質材料（１０）で形成されたパッキングとを含むアッセンブリにおいて、
前記剛性材料は、剛性材料製の四つの側部からなり、該剛性製材料の四つの側部からなる前記剛性材料は、
角度をなして位置決めされた剛性に接合された二つの表面、即ち第１及び第２の面（１、２）を有する２つの側部含み、前記第１及び第２の面（１、２）は、前記医療デバイス（３、４）の二つの側部、即ち二つの異なる方向に向いている前記取り付けパッドの前記接着面および前記挿入器の一つの側部をそれぞれカバーし、
前記取り付けパッドの非接着面は剛性表面によってカバーされておらず、
前記剛性に接合された第１及び第２の面（１、２）を連結し、挿入器の両端をカバーし、それによって非可撓性構造を形成する二つの側部（７、８）をさらに含むことを特徴とするアッセンブリ。
【請求項２】
請求項１に記載のアッセンブリにおいて、
前記剛性材料製の四つの側部の縁部は、軟質材料製保護シール（１０）を取り外し可能に取り付けることができる平らな周囲部分（５）を有する、アッセンブリ。
【請求項３】
請求項１に記載のアッセンブリにおいて、
前記第２の面は、前記取り付けパッドの前記接着面に対して接触面を提供する、アッセンブリ。
【請求項４】
請求項１又は２に記載のアッセンブリにおいて、
前記第１の面（１）及び第２の面（２）は互いに直角に配置されている、アッセンブリ。
【請求項５】
請求項１乃至４のうちのいずれか一項に記載のアッセンブリにおいて、
前記剛性材料の縁部は、前記剛性材料の前記縁部が形成する開口部を取り囲む平らな周囲部分（５）を有し、この周囲部分（５）に、軟質材料製保護シール（１０）を取り外し可能に取り付けることができる、アッセンブリ。
【請求項６】
請求項１乃至５のうちのいずれか一項に記載のアッセンブリにおいて、
前記剛性材料は、一部品をなして型成形される、アッセンブリ。
【請求項７】
請求項１乃至６のうちのいずれか一項に記載のアッセンブリにおいて、
前記パッキングは、再閉鎖するための手段を含む、アッセンブリ。
【請求項８】
請求項７に記載のアッセンブリにおいて、
前記再閉鎖するための手段は、接着手段及び／又は機械的手段を含む、アッセンブリ。
【請求項９】
請求項８に記載のアッセンブリにおいて、
前記再閉鎖するための手段は、前記軟質材料（１０）と前記周囲部分（５）との間に配置された接着剤又は粘着材料によって提供される、アッセンブリ。
【請求項１０】
請求項８に記載のアッセンブリにおいて、
前記再閉鎖するための手段は、前記軟質材料（１０）に設けられた一つ又はそれ以上の開口部（１３）によって提供され、これらの開口部（１３）は、前記剛性材料製の突出部品と対応する、アッセンブリ。
【請求項１１】
請求項１乃至１０のうちのいずれか一項に記載のアッセンブリにおいて、
前記医療デバイスの前記挿入器（３）は、患者の皮膚上に配置されるべきベース部品（４）に取り外し可能に取り付けられており、前記ベース部品（４）は、リザーバを含む送出部品を前記ベース部品（４）に直接的に取り付けることができるような大きさを備えている、アッセンブリ。
【請求項１２】
内部に貯蔵された医療デバイスに対して殺菌保護を提供する、一部が剛性材料（１、２、７、８、５）で形成されており、一部が軟質材料（１０）で形成されたパッキングにおいて、
前記剛性材料は、剛性材料製の四つの側部からなり、該剛性製材料の四つの側部からなる前記剛性材料は、
角度をなして位置決めされた剛性に接合された二つの表面、即ち第１及び第２の面（１、２）を有する２つの側部を含み、前記第１及び第２の面（１、２）は、前記医療デバイス（３、４）の二つの側部、即ち二つの異なる方向に向いている前記取り付けパッドの前記接着面および前記挿入器の一つの側部をそれぞれカバーし、前記取り付けパッドの非接着面は剛性表面によってカバーされておらず、前記剛性に接合された第１及び第２の面（１、２）を連結し、それによって非可撓性構造を形成する二つの側部（７、８）をさらに含むことを特徴とするパッキング。
【手続補正書】
【提出日】平成24年9月27日(2012.9.27)
【手続補正１】
【補正対象書類名】特許請求の範囲
【補正対象項目名】全文
【補正方法】変更
【補正の内容】
【特許請求の範囲】
【請求項１】
［２Ｆｅ−２Ｓ］ＤＨＡＤ酵素を同定するための方法であって、
ａ）配列番号：１６４、１６８、２３０、２３２、２９８、３１０、３４４、および３４６のタンパク質を使用して作成されたプロファイル隠れマルコフモデルを用いて１つまたは複数のアミノ酸配列を問い合わせるステップであって、Ｅ値が１０−５未満である一致により第１サブセットの配列が提供され、また前記第１サブセットの配列が１種または複数種のＤＨＡＤ関連タンパク質に対応する、問い合わせステップと；
ｂ）ステップ（ａ）の１種または複数種のＤＨＡＤ関連タンパク質に対応する前記第１サブセットの配列を、ストレプトコッカス・ミュータンス（Ｓｔｒｅｐｔｏｃｏｃｃｕｓ
ｍｕｔａｎｓ）ジヒドロキシ酸デヒドラターゼのアミノ酸配列（配列番号：１６８）内の位置５６、１２９、および２０１に対応する３個の保存システインが存在するかどうかについて分析するステップであって、［２Ｆｅ−２Ｓ］ＤＨＡＤ酵素をコード化する第２サブセットの配列が同定される、分析ステップと；
ｃ）ステップ（ｂ）の前記第２サブセットの配列を、ストレプトコッカス・ミュータンス（Ｓｔｒｅｐｔｏｃｏｃｃｕｓ  ｍｕｔａｎｓ）ＤＨＡＤのアミノ酸配列（配列番号：１６８）内の各位置に対応する位置にサイン保存アミノ酸（位置８８のアスパラギン酸、位置１４２のアルギニンまたはアスパラギン、位置２０８のアスパラギン、および位置４５４のロイシン）が存在するかどうかについて分析するステップであって、［２Ｆｅ−２Ｓ］ＤＨＡＤ酵素をコード化する第３サブセットの配列がさらに同定される、分析ステップと
を含む、［２Ｆｅ−２Ｓ］ＤＨＡＤ酵素を同定するための方法。
【請求項２】
ｄ）ステップａ）、ｂ）、およびｃ）のいずれか１つまたは全部によって同定できる配列を有するポリペプチドを細胞内で発現させるステップと、
ｅ）前記ポリペプチドが前記細胞内でＤＨＡＤ活性を有することを確認するステップとをさらに含む、請求項１に記載の方法。
【請求項３】
ｄ）ステップａ）、ｂ）、およびｃ）のいずれか１つまたは全部によって同定できる配列でコード化されたタンパク質を精製するステップと、
ｅ）紫外・可視およびＥＰＲスペクトロスコピーによって前記タンパク質が［２Ｆｅ−２Ｓ］ＤＨＡＤ酵素であることを確認するステップと
をさらに含む、請求項１に記載の方法。
【請求項４】
ステップａ）、ｂ）、およびｃ）のいずれか１つまたは全部によって同定された細菌性［２Ｆｅ−２Ｓ］ＤＨＡＤ酵素の配列に対応する１つまたは複数の配列を選択することをさらに含む、請求項１に記載の方法。
【請求項５】
前記細胞には内生ＤＨＡＤ活性がない、請求項２に記載の方法。
【請求項６】
ｄ）細菌性［２Ｆｅ−２Ｓ］ＤＨＡＤ酵素の配列に対応する前記選択された１つまたは複数の配列を細胞内で発現させるステップと、
ｅ）前記酵素の配列が細胞内でＤＨＡＤ活性を有することを確認するステップと
をさらに含む、請求項４に記載の方法。
【請求項７】
ｄ）細菌性［２Ｆｅ−２Ｓ］ＤＨＡＤ酵素の配列に対応する前記選択された１つまたは複数の配列でコード化されたタンパク質を精製するステップであって、精製タンパク質が製造される、精製ステップと、
ｅ）前記タンパク質が［２Ｆｅ−２Ｓ］ＤＨＡＤ酵素であることを紫外・可視およびＥＰＲスペクトロスコピーによって確認するステップと
をさらに含む、請求項４に記載の方法。
【請求項８】
請求項１〜７のいずれか一項に記載の方法によって同定できる少なくとも１種の異種［２Ｆｅ−２Ｓ］ＤＨＡＤ酵素を含む微生物宿主細胞。
【請求項９】
前記細胞がバクテリア細胞または酵母菌細胞である、請求項８に記載の微生物宿主細胞。
【請求項１０】
前記バクテリア宿主細胞が、クロストリジウム属（Ｃｌｏｓｔｒｉｄｉｕｍ）、ジモモナス属（Ｚｙｍｏｍｏｎａｓ）、エシェリキア属（Ｅｓｃｈｅｒｉｃｈｉａ）、サルモネラ属（Ｓａｌｍｏｎｅｌｌａ）、ロドコッカス属（Ｒｈｏｄｏｃｏｃｃｕｓ）、シュードモナス属（Ｐｓｅｕｄｏｍｏｎａｓ）、バシラス属（Ｂａｃｉｌｌｕｓ）、ラクトバシラス属（Ｌａｃｔｏｂａｃｉｌｌｕｓ）、エンテロコッカス属（Ｅｎｔｅｒｏｃｏｃｃｕｓ）、ペジオコックス属（Ｐｅｄｉｏｃｏｃｃｕｓ）、アルカリゲネス属（Ａｌｃａｌｉｇｅｎｅｓ）、クレブシエラ属（Ｋｌｅｂｓｉｅｌｌａ）、パエニバチルス属（Ｐａｅｎｉｂａｃｉｌｌｕｓ）、アルトロバクター属（Ａｒｔｈｒｏｂａｃｔｅｒ）、コリネバクテリウム属（Ｃｏｒｙｎｅｂａｃｔｅｒｉｕｍ）、およびブレビバクテリウム属（Ｂｒｅｖｉｂａｃｔｅｒｉｕｍ）、ラクトコッカス属（Ｌａｃｔｏｃｏｃｃｕｓ）、ロイコノストック属（Ｌｅｕｃｏｎｏｓｔｏｃ）、オエノコッカス属（Ｏｅｎｏｃｏｃｃｕｓ）、ペジオコックス属（Ｐｅｄｉｏｃｏｃｃｕｓ）、および連鎖球菌属（Ｓｔｒｅｐｔｏｃｏｃｃｕｓ）よりなる群から選択されるバクテリア属のメンバーである、請求項９に記載の微生物宿主細胞。
【請求項１１】
前記酵母菌細胞が、サッカロミセス属（Ｓａｃｃｈａｒｏｍｙｃｅｓ）、シゾサッカロミセス属（Ｓｃｈｉｚｏｓａｃｃｈａｒｏｍｙｃｅｓ）、ハンゼヌラ属（Ｈａｎｓｅｎｕｌａ）、カンジダ属（Ｃａｎｄｉｄａ）、クリベロミセス属（Ｋｌｕｙｖｅｒｏｍｙｃｅｓ）、ヤロウイア属（Ｙａｒｒｏｗｉａ）およびピキア属（Ｐｉｃｈｉａ）よりなる群から選択される酵母菌属のメンバーである、請求項９に記載の微生物宿主細胞。
【請求項１２】
前記細胞がイソブタノールを産生する、請求項８に記載の微生物宿主細胞。
【請求項１３】
ａ）請求項８に記載の微生物宿主細胞を用意するステップであって、前記宿主細胞がイソブタノール生合成経路を含む、用意するステップと、
ｂ）イソブタノールが産生される条件下でステップ（ａ）の宿主細胞を成長させるステップと
を含む、イソブタノールの産生方法。
【請求項１４】
ａ）請求項８に記載の微生物宿主および２，３−ジヒドロキシイソ吉草酸の供給源を用意するステップと、
ｂ）前記２，３−ジヒドロキシイソ吉草酸がα−ケトイソ吉草酸に変換される条件下で（ａ）の微生物宿主細胞を成長させるステップと
を含む、２，３−ジヒドロキシイソ吉草酸をα−ケトイソ吉草酸に変換する方法。
【請求項１５】
異種ＤＨＡＤが、ストレプトコッカス・ミュータンス（Ｓｔｒｅｐｔｏｃｏｃｃｕｓ  ｍｕｔａｎｓ）またはラクトコッカス・ラクティス（Ｌａｃｔｏｃｏｃｃｕｓ  ｌａｃｔｉｓ）から由来する、請求項８〜１０のいずれか一項に記載の微生物宿主細胞。
【請求項１６】
異種［２Ｆｅ−２Ｓ］ＤＨＡＤ酵素が、配列番号：１６８もしくは配列番号：２３２のアミノ酸配列、またはそれらの配列と少なくとも８５％もしくは少なくとも９５％同一であるアミノ酸配列を有する、請求項８〜１１のいずれか一項に記載の微生物宿主細胞。
【請求項１７】
宿主細胞がイソブタノール生合成経路を含む、請求項８〜１２のいずれか一項に記載の微生物宿主細胞。
【手続補正書】
【提出日】平成24年8月13日(2012.8.13)
【手続補正１】
【補正対象書類名】特許請求の範囲
【補正対象項目名】全文
【補正方法】変更
【補正の内容】
【特許請求の範囲】
【請求項１】
ネットワークを介し、サーバーから携帯計算装置へデータを送信する時刻を提示するためのシステムであって、
複数の起動時刻をストアするためのメモリー領域であって、前記起動時刻が、複数のスケジュールに関連し、前記複数のスケジュールの起動が、前記携帯計算装置上の無線通信リソースを消費し、前記メモリー領域が更に、前記携帯計算装置上のプロセス遅延及びネットワークに関連する待ち時間を示すオフセットをストアするものと、
プロセッサーと、を含み、該プロセッサーが、
前記携帯計算装置へデータを送信するための前記サーバーによって、リクエストされた時間間隔にアクセスし、
前記リクエストされた時間間隔に基づいて、前記ストアされている複数の起動時刻を検索し、前記複数の起動時刻のサブセットを識別し、
前記識別された前記複数の起動時刻のサブセットに基づいて、送信時刻を決定し、
前記メモリー領域にストアされている前記オフセットに基づいて、前記決定された送信時刻を調整し、
前記調整された送信時刻を発行するようにプログラムされており、前記サーバーが、前記調整され発行された送信時刻に基づいて前記携帯計算装置へ前記データを送信すること、を特徴とするシステム。
【請求項２】
前記決定された送信時刻が、現在時刻からのオフセットを含むことを特徴とする請求項１記載のシステム。
【請求項３】
前記プロセッサーが更に、前記携帯計算装置上で実行しているサーバーに関連するアプリケーションプログラムから前記時間間隔を受信するようにプログラムされていることを特徴とする請求項１記載のシステム。
【請求項４】
前記サーバーが、前記発行された起動時刻に前記携帯計算装置へ前記データを送信することを特徴とする請求項１記載のシステム。
【請求項５】
前記プロセッサーが更に、最大の実行可能性を有するスケジュールを識別することによって、前記サブセットの１つを選択するようにプログラムされていることを特徴とする請求項１記載のシステム。
【請求項６】
前記携帯計算装置が、複数の無線通信を含み、前記プロセッサーが、前記サーバーから前記時間間隔に関するリクエストを受信し、前記リクエストが、前記無線通信の１つを識別するようにプログラムされていることと、前記プロセッサーが、前記リクエストされた時間間隔及び前記識別された無線通信に基づいて、前記ストアされている複数の起動時刻を検索するようにプログラムされていることと、を特徴とする請求項１記載のシステム。
【請求項７】
更に、
前記リクエストされた時間間隔内で前記送信時刻を、前記無線通信リソースに対する既知の電力供給時間に基づいて決定する手段と、
前記送信時刻を、前記プロセス遅延及び前記待ち時間に基づいて調整する手段と、を含む請求項１記載のシステム。
【請求項８】
第２の計算装置からリクエストされた時刻の値を、第１の計算装置によって受信するステップと、
複数のスケジュールに関連する複数の起動時刻を識別するステップであって、前記複数のスケジュールの起動が、前記第１の計算装置に関するリソースを消費するものと、
既に決定された１つ以上の送信時刻を識別するステップと、
前記リクエストされた時間値を、前記識別された複数の起動時刻及び前記既に決定された送信時刻と比較するステップと、
前記比較に基づいて送信時刻を決定するステップと、
前記決定された送信時刻を前記第２の計算装置へ提供するステップであって、前記第２の計算装置が、前記決定され提供された送信時刻に前記第１の計算装置へデータを送信するステップと、を含む方法。
【請求項９】
前記リクエストされた時刻の値を受信するステップが、最小の時刻の値及び最大の時刻の値を受信するステップを含むことを特徴とする請求項８記載の方法。
【請求項１０】
前記リクエストされた時刻の値を受信するステップが、前記第２の計算装置に関連するアプリケーションプログラムから前記リクエストされた時刻の値を受信するステップを含むことと、前記第１の計算装置が、前記アプリケーションプログラムの実行をホスティングし、更に、前記決定された送信時刻を第２の計算装置へ伝達するための前記アプリケーションプログラムへ提供するステップと、含むことを特徴とする請求項８記載の方法。
【請求項１１】
前記第２の計算装置が、複数の計算装置の１つであって、前記複数の計算装置それぞれが、それに関する優先順位を有していて、前記送信時刻を決定するステップが、前記第２の計算装置に関連する前記優先順位に基いて前記送信時刻を決定するステップを含むことを特徴とする請求項８記載の方法。
【請求項１２】
前記複数の起動時刻を識別するステップが、条件のないスケジュールに関連する複数の起動時刻を識別するステップを含むことを特徴とする請求項８記載の方法。
【請求項１３】
前記時刻の値が時間間隔を含むことと、前記送信時刻を決定するステップが、前記時間間隔内で送信時刻を決定するステップと、既に決定された前記送信時刻の１つ又は前記複数の起動時刻の１つに対応付けるステップと、を含むことを特徴とする請求項８記載の方法。
【請求項１４】
前記時刻の値が時間間隔を含むことと、前記送信時刻を決定するステップが、前記時間間隔内で送信時刻を決定するステップを含むことと、前記決定された送信時刻が、前記複数の起動時刻の１つよりも少し早期であることを特徴とする請求項８記載の方法。
【請求項１５】
更に、
リクエストされた時間間隔を受信するためのインターフェースコンポーネントであって、前記リクエストされた時間間隔が、第２の計算装置から前記第１の計算装置への予測されるデータ伝達に関連しているものと、
前記第１の計算装置の通信リソースに関連する複数の見込み電力供給時間を識別するためのキャッシュコンポーネントと、
前記インターフェースコンポーネントによって受信された前記時間間隔、及び前記キャッシュコンポーネントによって識別された前記複数の見込み電力供給時間の比較に基づいて、送信時刻を決定するための手引コンポーネントと、
前記手引コンポーネントによって決定された前記送信時刻を前記第２の計算装置へ提供するための公開コンポーネントであって、前記第２の計算装置が、前記提供された送信時刻に前記第１の計算装置へ前記データを送信するものと、を含む請求項８記載の方法。
【手続補正書】
【提出日】平成24年3月28日(2012.3.28)
【手続補正１】
【補正対象書類名】特許請求の範囲
【補正対象項目名】請求項１６
【補正方法】変更
【補正の内容】
【請求項１６】
前記第二のアクセス・ノード（１００−２、１００−３、１００−４）で前記端末（２００）からの信号（１０−２、１０−３、１０−４）の後に受信した少なくとも一つの更なる信号（１０−２、１０−３、１０−４）に関する少なくとも一つの更なる情報を送信するため、当該リクエスト（２２'）には前記第二のアクセス・ノード（１００−２、１００−３、１００−４）をトリガする情報を含み、前記第二のアクセス・ノード（１００−２、１００−３、１００−４）は少なくとも一つの更なる信号（１０−２、１０−３、１０−４）を受信し、要求された前記少なくとも一つの更なる情報を前記少なくとも一つの受信した更なる信号（１０−２、１０−３、１０−４）から獲得し、要求した前記少なくとも一つの更なる情報を前記第一のアクセス・ノード（１００−１）に送信することを特徴とする請求項１３乃至１５のいずれか一項に記載の方法。
【手続補正書】
【提出日】平成24年9月21日(2012.9.21)
【手続補正１】
【補正対象書類名】特許請求の範囲
【補正対象項目名】全文
【補正方法】変更
【補正の内容】
【特許請求の範囲】
【請求項１】
式ＩまたはＩＩを有するプレチューブリシン化合物
【化１】
2012503621.tif 000001
［式中、
Ｒ１は、フェニル、ハロゲン、Ｃ１〜３アルコキシおよびフェノキシから独立に選択される１〜３個の置換基を有していてもよい分岐または直鎖、飽和または不飽和のＣ１〜６アルキル基であり、
Ｒ２はＨ、またはフェニル、ハロゲン、Ｃ１〜３アルコキシおよびフェノキシから独立に選択される１〜３個の置換基を有していてもよい分岐または直鎖、飽和もしくは不飽和のＣ１〜１６アルキル基であり、
Ｒ３はＨ、またはフェニル、ハロゲン、Ｃ１〜３アルコキシおよびフェノキシから独立に選択される１〜３個の置換基を有していてもよい分岐もしくは直鎖、飽和または不飽和のＣ１〜６アルキル基であり、
ＡｒはＣ１〜３アルキル、Ｃ１〜３アルケニル、ハロゲン、Ｃ１〜３アルコキシおよびＣ１〜３アルケノキシから独立に選択される１〜３個の置換基を有していてもよいフェニル基またはナフチル基であり、
ｎは０〜２の整数であり、
【化２】
2012503621.tif 000002
は単結合または二重結合を示す。］
もしくはＣ末端カルボキシ基のエステルおよび／またはその薬学的に許容される塩。
【請求項２】
Ｒ１がメチル基、エチル基、プロピル基、ベンジル基もしくはアリル基である、および／または
Ｒ２がＨ、Ｃ１〜１２アルキル基、ベンジル基もしくはアリル基である、および／または
Ｒ３がＨ、メチル基、エチル基、アリル基もしくはベンジル基である、および／または
Ａｒが、非置換フェニル基、基Ｘにより４位で置換されているフェニル基もしくは基Ｘにより６位で置換されている２−ナフチル基（Ｘは−ＣＨ３、−ＯＣＨ３、−アリル、−Ｏアリルおよびハロゲンから選択される）である、および／または
ｎが１もしくは２である、および／または
前記エステルのアルコール成分が一価および多価のアルコールから選択され、好ましくはＣ１〜６アルカノール、Ｃ１〜６アルケノール、Ｃ２〜６アルキレンジオールおよびグリセロールから選択される、および／または
【化３】
2012503621.tif 000003
が単結合である、
請求項１に記載の化合物。
【請求項３】
【化４】
2012503621.tif 000004
が単結合であり、
（ｉ）Ｒ１、Ｒ２およびＲ３がＣＨ３であり、Ａｒが非置換フェニル基であり、ｎが２である、もしくは
（ｉｉ）Ｒ１およびＲ２がＣＨ３であり、Ｒ３がＨであり、Ａｒが非置換フェニル基であり、ｎが２である、構造式Ｉを有する
請求項１に記載の化合物またはそのグリセロールエステル。
【請求項４】
【化５】
2012503621.tif 000005
が単結合であり、Ｒ１およびＲ２がＣＨ３であり、Ｒ３がＨであり、Ａｒが非置換フェニル基である、構造式ＩＩを有する
請求項１に記載の化合物またはそのグリセロールエステル。
【請求項５】
請求項１〜４のいずれか一項に記載の化合物を含む医薬組成物または医薬。
【請求項６】
癌の治療に適した請求項５に記載の医薬組成物または医薬。
【請求項７】
「チューブバリン」および「チューブフェニルアラニン」ビルディングブロック（２）および（３）
【化６】
2012503621.tif 000006
（式中、ＳＧ、ＲおよびＲ’は適当な保護基である。）
またはそれらの各誘導体を縮合することを含む、請求項１〜４のいずれか一項に記載の化合物を調製する方法。
【請求項８】
癌の治療用の医薬を製造するための請求項１〜４のいずれか一項に記載の化合物の使用。
【請求項９】
前記医薬が、アポトーシスの誘導に適している、または抗有糸分裂剤として適している、請求項８に記載の使用。
【手続補正書】
【提出日】平成24年9月7日(2012.9.7)
【手続補正１】
【補正対象書類名】特許請求の範囲
【補正対象項目名】全文
【補正方法】変更
【補正の内容】
【特許請求の範囲】
【請求項１】
ポリオレフィン組成物であって、下記成分（ａ１）、（a２）および（ｂ）の総重量を基準に重量％で：
ａ１）アイソタクチック指数が８０％を超える、プロピレンホモポリマーまたは最高１５％のエチレンおよび／またはＣ４−Ｃ１０α−オレフィン（１種または複数）を含有するコポリマー１６〜７８％；および
ａ２）エチレンと１０〜４０％のＣ４−Ｃ１０αオレフィン類を含有する１種またはそれ以上の当該Ｃ４−Ｃ１０αオレフィンとのコポリマー６〜４４％；
ｂ）８０ｗｔ％もしくはそれ以上のブテン−１誘導単位含量を有し、６０ＭＰａまたはそれ以下の曲げ弾性率（ＭＥＦ）を示す、ブテン−１（コ）ポリマー３〜７０％
を含むポリオレフィン組成物。
【請求項２】
成分（ｂ）は：
（ｂ１）ブテン−１コポリマーであり、
−  アイソタクチックペンタド（ｍｍｍｍ％）の形態のブテン−１単位の含量が２５〜５５％；
−  １３５℃のテトラリン中で測定した極限粘度［η］が１〜３ｄＬ／ｇ；
−  ０℃のキシレン不溶性画分の含量が３〜６０％；
（ｂ２）ブテン−１／エチレンコポリマーもしくはブテン−１／エチレンコポリマーからなる組成物であり、アイソタクチックペンタド（ｍｍｍｍ％）の形態のブテン−１単位の含量が９６％以上を示し、１０〜２５モル％の範囲のエチレン単位の総含量である；
（ｂ３）ブテン−１／エチレンコポリマーまたはブテン−１／エチレン／プロピレンターポリマーであり、
−  ＧＰＣにより測定した分子量分布（Ｍｗ／Ｍｎ）が３より低く；
−  ＤＳＣで検出できる溶融点（ＴｍＩＩ）はない；
からなる群から選択される、請求項１に記載のポリオレフィン組成物。
【請求項３】
少なくとも６５０ＭＰａの曲げ弾性率を示す、請求項１または２に記載の組成物。
【請求項４】
請求項１〜３のいずれかに記載の組成物を含む形成物品。
【請求項５】
請求項１〜３のいずれかに記載の組成物を含むフィルム。
【手続補正書】
【提出日】平成24年9月25日(2012.9.25)
【手続補正１】
【補正対象書類名】特許請求の範囲
【補正対象項目名】全文
【補正方法】変更
【補正の内容】
【特許請求の範囲】
【請求項１】
第1カルシウム含有ミネラルでコーティングされたビーズを含むマイクロスフェア。
【請求項２】
炭酸塩、カルシウムおよびリン酸塩を含む生理的食塩水中でビーズをインキュベートして、ビーズ上に第1カルシウム含有ミネラル層コーティングを形成させることを含むマイクロスフェアの製造方法であって、ミネラル層コーティングを含むビーズがマイクロスフェアである前記方法。
【請求項３】
脊椎動物の治療薬の製造のための、第1カルシウム含有ミネラルでコーティングされたビーズを含むマイクロスフェアの使用。
【手続補正書】
【提出日】平成24年7月26日(2012.7.26)
【手続補正１】
【補正対象書類名】特許請求の範囲
【補正対象項目名】全文
【補正方法】変更
【補正の内容】
【特許請求の範囲】
【請求項１】
ヒトアネキシンＡ３のアミノ酸配列５９〜６７：
ＥＹＱＡＡＹＧＫＥ（配列番号１）
中のエピトープに対応する天然のアネキシンＡ３を認識する抗体又は前記抗体の抗原結合フラグメント。
【請求項２】
（ｉ）抗体
−ＴＧＣ４２
−ＴＧＣ４３又は
−ＴＧＣ４９
（ｉｉ）（ｉ）からの抗体と同一の抗原結合部位を有する抗体及び
（ｉｉｉ）前記抗体の抗原結合フラグメント
から成る群から選択される、請求項１に記載の抗体。
【請求項３】
ヒトアネキシンＡ３のアミノ酸配列１〜１０６中の立体構造エピトープに対応する天然のアネキシンＡ３を認識する抗体、又はその抗体の抗原結合フラグメント。
【請求項４】
（ａ）ヒトアネキシンＡ３のアミノ酸配列１〜３４中の立体構造エピトープに対応する請求項３に記載の抗体、又はその抗体の抗原結合フラグメントであるか、あるいは
（ｂ）ヒトアネキシンＡ３のアミノ酸配列３５〜１０６中の立体構造エピトープに対応する請求項３に記載の抗体、又はその抗体の抗原結合フラグメント。
【請求項５】
（ｉ）抗体
−ＴＧＣ４４又は
−ＴＧＣ４８、
（ｉｉ）（ｉ）からの抗体と同一の抗原結合部位を有する抗体及び
（ｉｉｉ）前記抗体の抗原結合フラグメント
から成る群から選択される、請求項３又は４に記載の抗体。
【請求項６】
（ｉ）抗体ＴＧＣ４２、ＴＧＣ４３、ＴＧＣ４４、ＴＧＣ４５、ＴＧＣ４６、ＴＧＣ４７、ＴＧＣ４８又はＴＧＣ４９
（ｉｉ）（ｉ）からの抗体と同一の結合部位を有する抗体及び
（ｉｉｉ）（ｉ）又は（ｉｉ）からの抗体と同一の天然のヒトアネキシンＡ３上のエピトープを認識する抗体及び
（ｉｖ）前記抗体の抗原結合フラグメント
から成る群から選択される、天然のアネキシンＡ３を認識する抗体。
【請求項７】
モノクローナル抗体、ダイマー抗体、ヒト化抗体、ヒト抗体又は組み換え抗体又はこれらのフラグメントである、請求項１から６までのいずれか１項に記載の抗体。
【請求項８】
医薬、特にヒト医薬における使用のための、請求項１から７までのいずれか１項に記載の抗体。
【請求項９】
（ａ）診断又は治療的用途のための、
（ｂ）癌、特に前立腺癌の診断のための、および／または
（ｃ）天然の条件下で実施する診断アッセイにおける使用のための、
請求項８に記載の抗体。
【請求項１０】
ＥＬＩＳＡにおいて使用するための、請求項９に記載の抗体。
【請求項１１】
試料を、天然のアネキシンＡ３の存在及び／又は量に関して分析する、癌の診断方法。
【請求項１２】
（ａ）天然のアネキシンＡ３を、請求項１から７までのいずれか１項に記載の抗体との反応によって検出するか、および／または
（ｂ）試料が体液、特に尿又は圧搾尿である、請求項１１に記載の方法。
【手続補正書】
【提出日】平成24年8月28日(2012.8.28)
【手続補正１】
【補正対象書類名】特許請求の範囲
【補正対象項目名】全文
【補正方法】変更
【補正の内容】
【特許請求の範囲】
【請求項１】
投入された廃タイヤをキャリアガスとして循環させて使用し、直接加熱方式によって分解させる熱分解炉及びこの熱分解炉で発生される高熱の蒸気を冷却凝縮させてオイルを捕集するオイル捕集手段を含む廃タイヤリサイクルシステムにおいて、
前記熱分解炉（１）とオイル捕集手段を経由して再び熱分解炉（１）に循環されるキャリアガス循環ラインを含み、前記キャリアガス循環ライン（ｃｌ）に連結して設置され、前記熱分解炉（１）の内部の温度とキャリアガス循環ライン（ｃｌ）の内部の圧力を測定する感知要素を備え、
前記熱分解炉（１）で生成された非凝縮性ガスを捕集して貯蔵し、これを選択的に熱分解炉（１）側に供給してキャリアガスとして使用するようにするキャリアガス循環供給装置（２０）をさらに含み、
前記キャリアガス循環供給装置（２０）は、前記キャリアガス循環ライン（ｃｌ）に連結されて、選択的に非凝縮性ガスが供給されて貯蔵する非凝縮性ガス貯蔵タンク（２７）と；前記非凝縮性ガス貯蔵タンク（２７）と前記キャリアガス循環ライン（ｃｌ）を連結する管路に設置されて、選択的に前記キャリアガス循環ライン（ｃｌ）内の非凝縮性ガスを非凝縮性ガス貯蔵タンク（２７）に供給したり、または反対に貯蔵された非凝縮性ガスをキャリアガス循環ライン（ｃｌ）に供給するための仕切弁（２５、２９）と；を含むことを特徴とする廃タイヤリサイクルシステム。
【請求項２】
前記キャリアガス循環供給装置（２０）は、感知要素として前記キャリアガス循環ライン（ｃｌ）の内部圧力を測定する圧力測定器（２１）及び前記熱分解炉（１）の内部の温度を測定する温度測定器（２３）を備えることを特徴とする請求項１に記載の廃タイヤリサイクルシステム。
【請求項３】
前記キャリアガス循環供給装置（２０）は、前記キャリアガス循環ライン（ｃｌ）内の圧力が１００ｍｍＡｑ以上で、前記熱分解炉（１）内の分解温度が２００℃以上の場合前記キャリアガス循環ライン（ｃｌ）内に流動中の非凝縮性ガスを非凝縮性ガス貯蔵タンク（２７）に貯蔵することを特徴とする請求項１に記載の廃タイヤリサイクルシステム。
【請求項４】
前記キャリアガス循環ライン（ｃｌ）には非凝縮性ガスに含まれた酸素を燃焼させるように電源供給によって選択的に発熱する電熱線を備えた酸素除去加熱装置（３０）が設置されることを特徴とする請求項１に記載の廃タイヤリサイクルシステム。
【請求項５】
前記酸素除去加熱装置（３０）は３００℃以上に発熱する熱線を含む電熱器であることを特徴とする請求項４に記載の廃タイヤリサイクルシステム。
【手続補正書】
【提出日】平成24年9月21日(2012.9.21)
【手続補正１】
【補正対象書類名】特許請求の範囲
【補正対象項目名】全文
【補正方法】変更
【補正の内容】
【特許請求の範囲】
【請求項１】
肺高血圧症の治療を必要とする対象への吸入により肺高血圧症を治療するためのエアロゾル化製剤であって、治療的に有効な量の、トレプロスチニルまたはその薬学的に許容される塩を含み、２〜５ミクロンである、該製剤中の粒子または液滴の空気力学的直径と、１〜２．０である、肺中枢及び肺末梢の間の肺沈着比とを有する、製剤。
【請求項２】
治療的に有効な量のトレプロスチニルまたはその薬学的に許容される塩を含む、肺高血圧症を治療するための医薬組成物であって、肺高血圧症の治療を必要とする対象へ噴霧器により投与されて、当該量を、エアロゾル化製剤として提供するための組成物であり、当該製剤が、２〜５ミクロンである、該製剤中の粒子または液滴の空気力学的直径と、１〜２．０である、肺中枢及び肺末梢の間の肺沈着比とを有する、組成物。
【請求項３】
該製剤中の粒子または液滴の該空気力学的直径が２ミクロンである、請求項１又は２に記載の製剤又は組成物。
【請求項４】
該製剤中の粒子または液滴の該空気力学的直径が５ミクロンである、請求項１又は２に記載の製剤又は組成物。
【請求項５】
トレプロスチニルナトリウムを含む、請求項１又は２に記載の製剤又は組成物。
【手続補正書】
【提出日】平成24年9月21日(2012.9.21)
【手続補正１】
【補正対象書類名】特許請求の範囲
【補正対象項目名】全文
【補正方法】変更
【補正の内容】
【特許請求の範囲】
【請求項１】
ペグインターフェロン、リバビリンおよびＶＸ−９５０を含むＣ型肝炎ウイルス感染の治療のための組み合わせ剤であって、ここでペグインターフェロンおよびリバビリンがＶＸ−９５０と一緒に第一段階にて投与され、第二段階にわたってペグインターフェロンおよびリバビリンが投与され、第二段階が第一段階の後で生じ、ＶＸ−９５０が１１２５ｍｇの量で一日に２回投与され、ペグインターフェロンが一週間に１回投与され、リバビリンが毎日投与されることを特徴とする、組み合わせ剤。
【請求項２】
ペグインターフェロン、リバビリンおよびＶＸ−９５０を含むＣ型肝炎ウイルス感染の治療のための組み合わせ剤であって、ここでペグインターフェロンおよびリバビリンがＶＸ−９５０と一緒に第一段階にて投与され、第二段階にわたってペグインターフェロンおよびリバビリンが投与され、第二段階が第一段階の後で生じ、ＶＸ−９５０が１１２５ｍｇの量で一日に２回投与され、ペグインターフェロンが一週間に付き１８０ｍｇの量で投与され、リバビリンが一日に付き１０００ないし１２００ｍｇの量で投与されることを特徴とする、組み合わせ剤。
【請求項３】
少なくとも６５％の患者が第４週で検出できないＨＣＶ  ＲＮＡレベルを有する、請求項２記載の組み合わせ剤。
【請求項４】
少なくとも７５％の患者が第４週で検出できないＨＣＶ  ＲＮＡレベルを有する、請求項３記載の組み合わせ剤。
【請求項５】
少なくとも８０％の患者が第４週で検出できないＨＣＶ  ＲＮＡレベルを有する、請求項４記載の組み合わせ剤。
【請求項６】
少なくとも８５％の患者が第４週で検出できないＨＣＶ  ＲＮＡレベルを有する、請求項５記載の組み合わせ剤。
【請求項７】
少なくとも８０％の患者が第１２週で検出できないＨＣＶ  ＲＮＡレベルを有する、請求項２記載の組み合わせ剤。
【請求項８】
少なくとも８４％の患者が第１２週で検出できないＨＣＶ  ＲＮＡレベルを有する、請求項７記載の組み合わせ剤。
【請求項９】
少なくとも９０％の患者が第１２週で検出できないＨＣＶ  ＲＮＡレベルを有する、請求項８記載の組み合わせ剤。
【請求項１０】
少なくとも９３％の患者が第１２週で検出できないＨＣＶ  ＲＮＡレベルを有する、請求項９記載の組み合わせ剤。
【請求項１１】
ＶＸ−９５０が１２時間毎に投与される、請求項２−１０のいずれか一項に記載の組み合わせ剤。
【請求項１２】
第一段階および第二段階にて投与されるペグインターフェロンがペグインターフェロンアルファ２ａである、請求項２−１０のいずれか一項に記載の組み合わせ剤。
【請求項１３】
第一段階が１２週間に及ぶ、請求項２−１２のいずれか一項に記載の組み合わせ剤。
【請求項１４】
第二段階が１２週間または３６週間に及ぶ、請求項１３記載の組み合わせ剤。
【請求項１５】
ペグインターフェロン、リバビリンおよびＶＸ−９５０を含むＣ型肝炎ウイルス感染の治療のための組み合わせ剤であって、ここでペグインターフェロンおよびリバビリンがＶＸ−９５０と一緒に第一段階にて投与され、第二段階にわたってペグインターフェロンおよびリバビリンが投与され、第二段階が第一段階の後で生じ、ＶＸ−９５０が１１２５ｍｇの量で一日に２回投与され、ペグインターフェロンが一週間で体重１ｋｇに付き１．５ｍｇの量で投与され、リバビリンが一日に付き８００ないし１２００ｍｇの量で投与されることを特徴とする、組み合わせ剤。
【請求項１６】
少なくとも６５％の患者が第４週で検出できないＨＣＶ  ＲＮＡレベルを有する、請求項１５記載の組み合わせ剤。
【請求項１７】
少なくとも７５％の患者が第４週で検出できないＨＣＶ  ＲＮＡレベルを有する、請求項１６記載の組み合わせ剤。
【請求項１８】
少なくとも８０％の患者が第４週で検出できないＨＣＶ  ＲＮＡレベルを有する、請求項１７記載の組み合わせ剤。
【請求項１９】
少なくとも８５％の患者が第４週で検出できないＨＣＶ  ＲＮＡレベルを有する、請求項１８記載の組み合わせ剤。
【請求項２０】
少なくとも８０％の患者が第１２週で検出できないＨＣＶ  ＲＮＡレベルを有する、請求項１５記載の組み合わせ剤。
【請求項２１】
少なくとも８４％の患者が第１２週で検出できないＨＣＶ  ＲＮＡレベルを有する、請求項２０記載の組み合わせ剤。
【請求項２２】
少なくとも９０％の患者が第１２週で検出できないＨＣＶ  ＲＮＡレベルを有する、請求項２１記載の組み合わせ剤。
【請求項２３】
少なくとも９３％の患者が第１２週で検出できないＨＣＶ  ＲＮＡレベルを有する、請求項２２記載の組み合わせ剤。
【請求項２４】
ＶＸ−９５０が１２時間毎に投与される、請求項１５−２３のいずれか一項に記載の組み合わせ剤。
【請求項２５】
第一段階および第二段階にて投与されるペグインターフェロンがペグインターフェロンアルファ２ｂである、請求項１５−２４のいずれか一項に記載の組み合わせ剤。
【請求項２６】
第一段階が１２週間に及ぶ、請求項１５−２５のいずれか一項に記載の組み合わせ剤。
【請求項２７】
第二段階が１２週間または３６週間に及ぶ、請求項２６記載の組み合わせ剤。
【手続補正書】
【提出日】平成24年9月19日(2012.9.19)
【手続補正１】
【補正対象書類名】特許請求の範囲
【補正対象項目名】全文
【補正方法】変更
【補正の内容】
【特許請求の範囲】
【請求項１】
アリスキレンまたはその薬学的に許容される塩を、単独で、または別の活性薬剤と組み合わせて含む固形経口剤形であって、該アリスキレンまたはその薬学的に許容される塩が、任意選択で１種または複数の造粒用賦形剤と一緒の溶融造粒によって得られるものであり、前記溶融造粒は、押出物の温度が、少なくともアリスキレン又はその塩の少なくとも溶融温度、溶融範囲、軟化温度または軟化範囲である、あるいはより高い、押出し法である、前記固形経口剤形。
【請求項２】
押出し法が、アリスキレン又はその塩のその非晶性形態への変換をもたらすものである、請求項１に記載の固形経口剤形。
【請求項３】
アリスキレンが、１種または複数のポリマーと一緒の溶融造粒によって得られる、請求項１又は２に記載の固形経口剤形。
【請求項４】
ポリマーが、Ｎ−ビニルピロリドンまたはセルロースのポリマーである、請求項３に記載の固形経口剤形。
【請求項５】
ポリマーが、ヒドロキシプロピルメチルセルロース、ヒドロキシプロピルセルロース、およびポリビニルピロリドンから選択される、請求項４に記載の固形経口剤形。
【請求項６】
バルサルタンまたはその薬学的に許容される塩をさらに含む、請求項１から５のいずれかに記載の固形経口剤形。
【請求項７】
アリスキレンまたはその薬学的に許容される塩が、バルサルタンまたはその薬学的に許容される塩から物理的に隔てられている、請求項６に記載の固形経口剤形。
【請求項８】
アリスキレンまたはその薬学的に許容される塩を含む層、およびバルサルタンまたはその薬学的に許容される塩を含む層を含む二層錠剤の形態の、請求項６または７に記載の固形経口剤形。
【請求項９】
高血圧、鬱血性心不全、狭心症、心筋梗塞、アテローム性動脈硬化症、糖尿病性腎症、糖尿病性心筋症、腎不全、末梢血管疾患、左心室肥大、認知機能不全、脳卒中、頭痛、および慢性心不全を治療するための、請求項１から８のいずれかに記載の固形経口剤形。
【請求項１０】
高血圧、鬱血性心不全、狭心症、心筋梗塞、アテローム性動脈硬化症、糖尿病性腎症、糖尿病性心筋症、腎不全、末梢血管疾患、左心室肥大、認知機能不全、脳卒中、頭痛、および慢性心不全を治療するための薬剤を製造するための、請求項１から９のいずれかに記載の固形経口剤形の使用。
【請求項１１】
アリスキレンまたはその薬学的に許容される塩と、任意選択の１種または複数の造粒用賦形剤とを溶融して押し出すステップ、薬学的に許容される添加物と任意選択で混合するステップ、ならびに最終ブレンドを任意選択で圧縮して錠剤にするステップを含む、請求項１から９のいずれか一項に記載の固形経口剤形の製造方法。
【請求項１２】
圧縮して錠剤にする前に、さらなる活性成分、例えば、バルサルタンの顆粒を添加するステップをさらに含む、請求項１１に記載の方法。
【請求項１３】
（ａ’）アリスキレンまたはその薬学的に許容される塩と、任意選択の１種または複数の造粒用賦形剤とを溶融して押し出してアリスキレン顆粒を形成するステップ、
（ｂ’）さらなる活性成分、例えば、バルサルタンを造粒するステップ、
（ｃ’）それぞれの顆粒を篩い分けるステップ、
（ｄ’）任意選択で、それぞれの顆粒を外相用賦形剤と混合するステップ、および
（ｅ’）双方の顆粒を一緒に圧縮して二層を形成するステップ
を含む、請求項１から９のいずれかに記載の固形経口剤形の製造方法。
【請求項１４】
（ａ）アリスキレンまたはその薬学的に許容される塩と、任意選択の１種または複数の造粒用賦形剤とをブレンドして、予備ブレンドされた材料を得るステップ、
（ｂ）予備ブレンドされた材料を篩い分け、篩い分けられた材料を得るステップ、
（ｃ）篩い分けられた材料をブレンドして、ブレンドされた材料を得るステップ、
（ｄ）ブレンドされた材料を溶融して押し出して、押出物を得るステップ、
（ｃ）押出物を冷却するステップ、
（ｄ）冷却された押出物を粉砕するステップ、
（ｅ）任意選択で、粉砕された押出物を１種または複数の薬学的に許容される賦形剤とブ
レンドして、ブレンドされた最終材料を形成するステップ、
（ｆ）任意選択で、最終ブレンドを圧縮して錠剤を形成するステップ、および
（ｇ）任意選択で、フィルムコート錠剤を得るためにフィルム被覆を塗布するステップ、
を含む、請求項１１から１３のいずれか一項に記載の方法。
【手続補正書】
【提出日】平成24年9月14日(2012.9.14)
【手続補正１】
【補正対象書類名】特許請求の範囲
【補正対象項目名】全文
【補正方法】変更
【補正の内容】
【特許請求の範囲】
【請求項１】
ＩＤ／Ｍｇのモル比が０．０２５〜０．０６５の範囲であり、Ｍｇ／Ｔｉのモル比が１４より高くなるような量の、Ｍｇ、Ｔｉ、及びハロゲン原子、並びに芳香族ジカルボン酸のアルキルエステルから選択される電子ドナー（ＩＤ）を含む固体触媒成分を含み、固体触媒成分１ｇあたり５０ｇ以下の量のエチレンポリマーを含む、オレフィン重合用の予備重合された触媒成分。
【請求項２】
０．３０〜０．４５ｇ／ｃｍ３の範囲のみかけ密度を有する、請求項１に記載の予備重合された触媒成分。
【手続補正書】
【提出日】平成24年9月21日(2012.9.21)
【手続補正１】
【補正対象書類名】特許請求の範囲
【補正対象項目名】全文
【補正方法】変更
【補正の内容】
【特許請求の範囲】
【請求項１】
植物インジゴフィーラ・ヘテランタ（Ｉｎｄｉｇｏｆｅｒａ  ｈｅｔｅｒａｎｔｈａ）の根を溶媒中で１：５〜１：４０重量／体積の比率で２〜２４時間、４０〜５０℃で撹拌し、及び
抽出物を濃縮する、ことにより調製される、
ことを特徴とする植物インジゴフィーラ・ヘテランタ（Ｉｎｄｉｇｏｆｅｒａ  ｈｅｔｅｒａｎｔｈａ）の根から単離される抽出物。
【請求項２】
請求項１に記載の植物インジゴフィーラ・ヘテランタ（Ｉｎｄｉｇｏｆｅｒａ  ｈｅｔｅｒａｎｔｈａ）の根から単離される抽出物の治療有効量を、単独で又は薬理学的に許容される担体と組み合わされて含む
ことを特徴とするハーブ組成物。
【請求項３】
請求項２に記載のハーブ組成物の調整方法であって、
（ａ）４０〜５０℃で２〜２４時間、溶媒中で１：５〜１：４０重量／体積の比率で溶媒中で撹拌することにより、前記植物インジゴフィーラ・ヘテランタ（Ｉｎｄｉｇｏｆｅｒａ  ｈｅｔｅｒａｎｔｈａ）の根からの抽出物を調製する工程、
（ｂ）工程（ａ）で得られた溶媒抽出物を濃縮する工程、
（ｃ）工程（ｂ）で得られた抽出物を高真空下（０．０１〜５ｍｍＨｇで乾燥する工程、
（ｄ）ポリアミド樹脂、ゼラチン／塩化ナトリウム溶液、ポリビニルピロリドン、カフェイン、酢酸鉛（ＩＩ）又は皮粉から選択される材料を使用して、工程（ｂ）又は工程（ｃ）で得られた抽出物を濃縮する工程、
（ｅ）溶媒分配又はクロマトグラフィーによって、工程（ｂ）、工程（ｃ）又は工程（ｄ）で得られた抽出物を濃縮する工程、及び、
（ｆ）工程（ｂ）、工程（ｃ）、工程（ｄ）又は工程（ｅ）の抽出物を薬理学的に許容される担体と混合する工程、を含む、
ことを特徴とするハーブ組成物の調製方法。
【請求項４】
請求項３に記載の方法であって、
前記工程（ａ）で用いられる前記溶媒は、メタノール、エタノール、ｎ−プロパノール、イソプロパノール、ｎ−ブタノール、アセトン、酢酸エチル、ジクロロメタン、水、又はこれらの混合物から選択される
ことを特徴とする方法。
【請求項５】
請求項４に記載の方法であって、
前記植物インジゴフィーラ・ヘテランタ（Ｉｎｄｉｇｏｆｅｒａ  ｈｅｔｅｒａｎｔｈａ）を抽出するための前記溶媒は、メタノール及び水、又はエタノール及び水の混合物である
ことを特徴とする方法。
【請求項６】
請求項３に記載の方法であって、
前記抽出物を濃縮する前記工程（ｄ）で用いられる材料は、ポリアミド樹脂である
ことを特徴とする方法。
【請求項７】
請求項３に記載の方法であって、
前記工程（ｅ）で用いられる溶媒は、水、石油エーテル、ジクロロメタン、クロロホルム、酢酸エチル、メタノール、アセトン、アセトニトリル、ｎ−プロパノール、イソプロパノール、及びブタノール又はこれらの混合物から選択される
ことを特徴とする方法。
【請求項８】
請求項２に記載のハーブ組成物であって、
前記ハーブ組成物は、経口投与又は局所投与用に処方される
ことを特徴とするハーブ組成物。
【請求項９】
請求項８に記載のハーブ組成物であって、
前記ハーブ組成物はクリーム、ゲル又は軟膏の形態で局所投与用に処方される
ことを特徴とするハーブ組成物。
【請求項１０】
請求項９に記載のハーブ組成物であって、
前記ハーブ組成物は５％〜５０％（ｗ／ｗ）の前記抽出物を含む
ことを特徴とするハーブ組成物。
【請求項１１】
請求項２に記載のハーブ組成物を含むウイルス感染の治療のための薬剤。
【請求項１２】
請求項１１に記載の薬剤であって、
前記ウイルス感染はＨＳＶを原因とする
ことを特徴とする薬剤。
【請求項１３】
請求項１２に記載の薬剤であって、
前記ウイルス感染はＨＳＶ−２を原因とする
ことを特徴とする薬剤。
【請求項１４】
請求項２に記載のハーブ組成物であって、
前記ウイルス感染の治療における使用のためのハーブ組成物。
【請求項１５】
請求項１４に記載のハーブ組成物であって、
ウイルス感染が、ＨＳＶを原因とすることを特徴とするハーブ組成物。
【請求項１６】
請求項１５に記載のハーブ組成物であって、
ウイルス感染が、ＨＳＶ−２を原因とすることを特徴とするハーブ組成物。
【請求項１７】
ウイルス感染治療薬の製造のために、単独で又は薬理学的に許容される担体と組み合わせての前記植物インジゴフィーラ・ヘテランタ（Ｉｎｄｉｇｏｆｅｒａ  ｈｅｔｅｒａｎｔｈａ）の根の抽出物の使用。
【手続補正書】
【提出日】平成24年9月21日(2012.9.21)
【手続補正１】
【補正対象書類名】特許請求の範囲
【補正対象項目名】全文
【補正方法】変更
【補正の内容】
【特許請求の範囲】
【請求項１】
試料解析システムであって、
少なくとも１つの核酸標的を増幅するための反応混合物として準備される分割された試料の液滴を含む複数の乳濁液を形成する少なくとも１つの液滴生成器と、
前記乳濁液を保持するキャビティを画定する容器と、
前記乳濁液をアレイ内に保持して、前記キャビティ内の前記乳濁液を加熱して、前記乳濁液の液滴内の核酸増幅を誘導する加熱・冷却装置と、
前記乳濁液の無傷の液滴から信号を検出する検出組立体と、
前記検出組立体と通信し、前記無傷の液滴から検出された信号に基づいて、核酸標的が存在する場合、前記試料内の核酸標的の存在を推定するようにプログラムされたコントローラと
を備える、システム。
【請求項２】
プレートが前記容器を提供し、各液滴生成器は前記プレートに一体化される、請求項１に記載のシステム。
【請求項３】
各キャビティは別個の液滴生成器により供給される、請求項１又は２に記載のシステム。
【請求項４】
各液滴生成器は、前記容器を含まない装置によって提供される、請求項１に記載のシステム。
【請求項５】
各液滴生成器は、少なくとも１つの油槽と、試料槽と、各槽から乳濁液ウェルまでの流路とを含み、前記乳濁液ウェルは、乳濁液が前記キャビティのうち１つに移送される前に該乳濁液を収集する、請求項１から４のいずれか一項に記載のシステム。
【請求項６】
液滴生成を促進する圧力源をさらに備える、請求項１から５のいずれか一項に記載のシステム。
【請求項７】
前記検出組立体は、前記キャビティ内に配置された液滴から信号を検出するように構成される、請求項１から６のいずれか一項に記載のシステム。
【請求項８】
前記キャビティから前記検出組立体の検出場所まで液滴を移送するように構成される流体移送装置をさらに備え、前記検出場所は前記キャビティとは別個である、請求項１から６のいずれか一項に記載のシステム。
【請求項９】
前記検出組立体は液滴を逐次検出するように構成される、請求項８に記載のシステム。
【請求項１０】
各キャビティは同じプレートの壁により上下の境界が定められる、請求項１から９のいずれか一項に記載のシステム。
【請求項１１】
各液滴生成器は試料ウェルに連通し、前記試料ウェルは、前記試料ウェルの上から試料を装填できるように上方に開く、請求項１から１０のいずれか一項に記載のシステム。
【請求項１２】
各キャビティはウェルであり、前記システムは、前記ウェルを封止する封止部材をさらに備える、請求項１から１１のいずれか一項に記載のシステム。
【請求項１３】
各液滴生成器は、前記液滴が逐次生成される１つまたは複数のオリフィスを含む、請求項１から１２のいずれか一項に記載のシステム。
【請求項１４】
前記コントローラは、核酸標的の増幅に関して陽性であると判断された液滴の割合に基づいて、核酸標的の濃度を推定するように構成される、請求項１から１３のいずれか一項に記載のシステム。
【請求項１５】
前記圧力源は、液滴生成を促進する真空を生成する、請求項６に記載にシステム。
【手続補正書】
【提出日】平成24年9月18日(2012.9.18)
【手続補正１】
【補正対象書類名】明細書
【補正対象項目名】０００２
【補正方法】変更
【補正の内容】
【０００２】
上記のような複数の部品からなる爪部を有するロックユニットの使用価値は実証されており、特にこのようなロックユニットは、作動中の快適性が高いことおよび騒音が低いことを特徴とする。上記ロックユニットはより具体的には自動車のドアおよび／またはハッチバックのドアに使用される。
しかしながら、このようなロックユニットにはさらなる改良が必要である。より具体的には、操作を便利にすること、および実装領域を小さくすることに焦点が置かれる。
この出願の発明に関連する先行技術文献情報としては、以下のものがある（国際出願日以降国際段階で引用された文献及び他国に国内移行した際に引用された文献を含む）。
【先行技術文献】
【特許文献】
【手続補正２】
【補正対象書類名】明細書
【補正対象項目名】０００３
【補正方法】変更
【補正の内容】
【０００３】
【特許文献１】  独国実用新案第２０１０４６２５号明細書
【特許文献２】  欧州特許出願公開第１３８０７１５号明細書
【特許文献３】  国際公開第２００８／０６１４９１号
【発明の概要】
【発明が解決しようとする課題】
【手続補正書】
【提出日】平成24年9月18日(2012.9.18)
【手続補正１】
【補正対象書類名】明細書
【補正対象項目名】０００３
【補正方法】変更
【補正の内容】
【０００３】
上記のロックユニットは、例えば、国際公開第ＷＯ  ２００８／０６１４９１号に開示されている。当該国際公開公報で開示されたロック機構は、把持部と、解除レバーと、爪部と、回転防止レバーとを有し、前記把持部の主要位置および第１の位置は２つの異なる平面に配置され、２つの異なるレバー、すなわち、（前記第１の位置用の）操作レバー、および（前記主要位置用の）前記爪部によって作動される。前記ロック機構の成功実績は実証されているがさらなる改良が可能である。
上記に関連する重要な例として、前記ロックユニットは、当該ロックユニットを解除する際の力を低減させ、操作の快適性を高めることで改良が可能である。さらに、上記の構成部品は大量生産されることを考慮する必要もある。従って、技術的要因および原価要素も考慮する必要がある。上記のようなロックユニットを自動車に組み込む場合、利用できる実装空間が狭いこと、さらに、寿命が長いことおよび操作の多様性が望ましいことも考慮する必要がある。また、前記ロックユニットまたは前記ロック機構の騒音は作動時において重要な要因となる。
この出願の発明に関連する先行技術文献情報としては、以下のものがある（国際出願日以降国際段階で引用された文献及び他国に国内移行した際に引用された文献を含む）。
【先行技術文献】
【特許文献】
【手続補正２】
【補正対象書類名】明細書
【補正対象項目名】０００４
【補正方法】変更
【補正の内容】
【０００４】
【特許文献１】  米国特許第６６９５３６０号明細書
【特許文献２】  米国特許出願公開第２００２／１６３２０７号明細書
【特許文献３】  欧州特許第１３８０７１５号明細書
【特許文献４】  国際公開第２００８／０６１４９１号
【発明の概要】
【発明が解決しようとする課題】